(57)【要約】      （修正有）【課題】ロック機構を備える鞄において、折り畳み傘や飲料入りボトルなどの小物を容易に出し入れすることができる鞄を提供する。【解決手段】サブリッド２７を開けると、ケース４０が見える。ケース４０は、折り畳み傘４６や５００ｃｍ３の飲料入りボトル４７が収納できる内容積を有する。折り畳み傘４６や飲料入りボトル４７をケース４０に収納し、サブリッド２７を閉じ、第３スライダー３１を閉じ位置まで移動することで、リッド１６に対してサブリッド２７を閉じ状態にすることができる。ロック機構２１を備える鞄１０において、折り畳み傘４６や飲料入りボトル４７などの小物を容易に出し入れすることができる構造が提供される。【選択図】図５
0003205365.tif 000002
【実用新案登録請求の範囲】
【請求項１】
ケース本体と、このケース本体の開口を塞ぐ蓋体と、この蓋体と前記ケース本体を連結する第１ファスナーと、この第１ファスナーに備えられる第１スライダーと、前記ケース本体の底と前記蓋体の底の少なくとも一方に取付けられているキャスターと、このキャスターから遠い部位にて前記蓋体に開閉自在に設けられるリッドと、このリッドと前記蓋体を連結する第２ファスナーと、この第２ファスナーに備えられる第２スライダーと、前記蓋体に設けられ前記第１スライダー及び前記第２スライダーを施錠するロック機構とを備える鞄において、
前記リッドに一面が開放された収納部を開口縁が前記リッドに連続するようにして取り付けると共に、前記リッドに前記収納部の開口を塞ぐサブリッドを取り付け、このリッドと前記サブリッドとを第３ファスナーで連結したことを特徴とする鞄。
【請求項２】
前記収納部は、ケースであり、
このケースは、折り畳み傘又は飲料入りボトルを収納する内容積のケースであることを特徴とする請求項１記載の鞄。
【請求項３】
前記収納部は、断熱材で構成されたポケットであることを特徴とする請求項１記載の鞄。
【請求項４】
前記リッドの内側には、このリッドを閉じた状態で前記ポケットの上方に、小物を収納できるポーチが設けられていることを特徴とする請求項３記載の鞄。
【考案の詳細な説明】
【技術分野】
【０００１】
本考案は、ビジネスや旅行等で持ち運ぶ鞄に関し、特に、折り畳み傘や飲料入りボトルの収納を考慮した鞄に関するものである。
【背景技術】
【０００２】
旅行用の鞄として、各種の構造のものが提案されてきた（例えば、特許文献１参照）。
【０００３】
特許文献１を次図に基づいて説明する。
特許文献１の図４に示すように、鞄は、鞄本体（１）（括弧付き数字は、特許文献１に記載された符号を示す。以下同様）と、鞄本体（１）の開口を塞ぐ蓋体（２）と、取っ手（３）と、車輪（４）とからなる。
鞄本体（１）と蓋体（２）とは縦開きスライドファスナー部（１５）で分離可能に連結される。
【０００４】
蓋体（２）は、蓋枠体（２Ａ）と蓋板（２Ｂ）とからなり、蓋枠体（２Ａ）と蓋板（２Ｂ）とは横開きスライドファスナー部（１０）で分離可能に  連結される。
特許文献１の図６（ａ）に示されるように、蓋枠体（２Ａ）にロック機構（２５）が設けられており、横開きスライドファスナー部（１０）に沿って移動するスライダーと、縦開きスライドファスナー部（１５）に沿って移動するスライダーとが、ロック機構（２５）で施錠される。
【０００５】
ロック機構（２５）を解錠し、縦開きスライドファスナー部（１５）に沿ってスライダーを移動することによって、特許文献１の図１に示すように、蓋板（２Ｂ）が開放される。開放後に、収納ポケット（２０）にノートパソコンなどの収納物を出し入れすることができる（特許文献１段落［００３３］）。
【０００６】
ところで、収納ポケット（２０）に収納する収納物は、ノートパソコンの他、折り畳み傘や飲料入りボトルがある。飲料入りボトルは、３５０ｃｍ３又は５００ｃｍ３の円筒樹脂容器に飲み物を詰めたものである。
【０００７】
屋外を移動中に降雨に遭遇することがある。この場合には、折り畳み傘を鞄から出す必要がある。喉が渇いた場合には、飲料入りボトルを鞄から出し、飲み終えたら鞄にしまう必要がある。
特許文献１の鞄では、ロック機構（２５）を解錠する必要があり、折り畳み傘や飲料入りボトルの取り出しが面倒である。
【０００８】
鞄には、パソコンなど大事な物品も収納する必要があるため、ロック機構は必須である。
そこで、ロック機構を備える鞄において、折り畳み傘や飲料入りボトルなどの小物を容易に出し入れすることができる構造が求められる。
【先行技術文献】
【特許文献】
【０００９】
【特許文献１】実用新案登録第３１６８９７２号公報
【考案の概要】
【考案が解決しようとする課題】
【００１０】
本考案は、ロック機構を備える鞄において、折り畳み傘や飲料入りボトルなどの小物を容易に出し入れすることができる構造を提供することを課題とする。
【課題を解決するための手段】
【００１１】
請求項１に係る考案は、ケース本体と、このケース本体の開口を塞ぐ蓋体と、この蓋体と前記ケース本体を連結する第１ファスナーと、この第１ファスナーに備えられる第１スライダーと、前記ケース本体の底と前記蓋体の底の少なくとも一方に取付けられているキャスターと、このキャスターから遠い部位にて前記蓋体に開閉自在に設けられるリッドと、このリッドと前記蓋体を連結する第２ファスナーと、この第２ファスナーに備えられる第２スライダーと、前記蓋体に設けられ前記第１スライダー及び前記第２スライダーを施錠するロック機構とを備える鞄において、
前記リッドに一面が開放された収納部を開口縁が前記リッドに連続するようにして取り付けると共に、前記リッドに前記収納部の開口を塞ぐサブリッドを取り付け、このリッドと前記サブリッドとを第３ファスナーで連結したことを特徴とする。
【００１２】
請求項２に係る考案では、収納部は、ケースであり、このケースは、折り畳み傘又は飲料入りボトルを収納する内容積のケースであることを特徴とする。
【００１３】
請求項３に係る考案では、収納部は、断熱材で構成されたポケットであることを特徴とする。
【００１４】
請求項４に係る考案では、リッドの内側には、このリッドを閉じた状態でポケットの上方に、小物を収納できるポーチが設けられていることを特徴とする。
【考案の効果】
【００１５】
請求項１に係る考案では、ケース本体と蓋体とからなる鞄において、蓋体に局部的にリッドを設け、このリッドに収納部及びサブリッドを設けた。ケース本体と蓋体を開閉する第１スライダーは施錠される。リッドを開閉する第２スライダーも施錠される。よって、大事な物（貴重品）は鞄に収納すればよい。一方、貴重品でない小物は、サブリッドを開けて収納部に収納すればよい。小物は、解錠操作をすることなく、迅速に収納部に出し入れすることができる。
よって、本考案によれば、ロック機構を備える鞄において、小物を容易に出し入れすることができる構造が提供される。
【００１６】
請求項２に係る考案では、収納部は、ケースである。ケースは、折り畳み傘又は飲料入りボトルを収納する内容積のケースである。すなわち、降雨時に素早く折り畳み傘を取り出すことができる。又は、喉が渇いたときに素早くボトルを取り出し喉を潤すことができる。
よって、本考案によれば、ロック機構を備える鞄において、折り畳み傘や飲料入りボトルを容易に出し入れすることができる構造が提供される。
【００１７】
請求項３に係る考案では、収納部は、断熱材で構成されたポケットである。このため、冷えた飲料入りボトルをポケットに収納することで、飲料を冷えた状態に保つことができる。反対に、暖かい飲料入りボトルをポケットに収納することで、飲料を暖かい状態に保つことができる。
【００１８】
請求項４に係る考案では、リッドの内側には、このリッドを閉じた状態でポケットの上方に、小物を収納できるポーチが設けられている。リッドを開けた際、ペン等の小物をポーチに収納することができる。ポケットとリッドの間のデッドスペースを有効に活用することができる。
【図面の簡単な説明】
【００１９】
【図１】本考案に係る鞄の外形図である。
【図２】第１ファスナーの作用図である。
【図３】第２ファスナーの作用図である。
【図４】第３ファスナーの作用図である。
【図５】本考案に係る収納部とサブリッドの斜視図である。
【図６】図４の収納部の別態様を説明する図である。
【図７】図４に示した収納部とサブリッドの斜視図である。
【考案を実施するための形態】
【００２０】
本考案の実施の形態を添付図に基づいて以下に説明する。なお、図面は符号の向きに見るものとする。
【実施例】
【００２１】
図１は鞄１０の外観を示し、図１（ａ）は平面図、図１（ｂ）は正面図、図１（ｃ）は右側面図を示す。
鞄１０は、ケース本体１１と、このケース本体１１の開口を塞ぐ蓋体１２と、この蓋体１２とケース本体１１を連結する第１ファスナー１３と、この第１ファスナー１３に備えられ第１ファスナー１３を開閉する第１スライダー１４と、ケース本体１１の底１１ａと蓋体１２の底１２ａの少なくとも一方に取付けられているキャスター１５と、このキャスター１５から遠い部位にて蓋体１２に開閉自在に設けられるリッド１６と、このリッド１６と蓋体１２を連結する第２ファスナー１７と、この第２ファスナー１７に備えられ第２ファスナー１７を開閉する第２スライダー１８と、蓋体１２に設けられ第１スライダー１４及び第２スライダー１８を施錠するロック機構２１と、ケース本体１１に設けられ引き出し収納自在の取っ手２２と、ケース本体１１に固定される取っ手２３を備えている。
【００２２】
第１スライダー１４は、第１ファスナー１３に、２個備えることが望ましいが、１個であってもよい。
同様に、第２スライダー１８は、第２ファスナー１７に、２個備えることが望ましいが、１個であってもよい。
【００２３】
ケース本体１１と蓋体１２は、第１ファスナー１３の他、第１ヒンジ部２５でも連結される。
リッド１６と蓋体１２は、第２ファスナー１７の他、第２ヒンジ部２６でも連結される。
【００２４】
さらには、リッド１６は、サブリッド２７を備えており、サブリッド２７とリッド１６は第３ファスナー２８と第３ヒンジ部２９とで連結される。第３ファスナー２８に、第３ファスナー２８を開閉する第３スライダー３１を備える。
第３スライダー３１は、第３ファスナー２８の一条当たり、２個備えることが望ましいが、１個であってもよい。
【００２５】
ケース本体１１、蓋体１２、リッド１６及びサブリッド２７の材料は、各々硬質樹脂が好適であるが、軽金属や布（キャンバス）であってもよい。
【００２６】
以上の構成からなる鞄１０の作用を図２〜図５に基づいて説明する。
図２（ａ）に示すように、ケース本体１１が載置面３３に載るようにして、鞄１０を横にする。載置面３３は、床、テーブル、置き台、その他の平面であればよく、種類は問わない。
【００２７】
図２（ａ）にて、第１スライダー１４をロック機構２１から外し、第１ファスナー１３を開く方向へ移動する（矢印（１））。
図２（ｂ）に示すように、第１ヒンジ部２５を中心にして蓋体１２を全開方向へ回転する（矢印（２））。
この状態で、ケース本体１１及び蓋体１２に収納物を出し入れする。
【００２８】
収納後、ケース本体１１に蓋体１２を被せ、第１スライダー１４を移動して第１ファスナー１３を閉じ、第１スライダー１４をロック機構２１に止め、施錠状態にする。
施錠できるため、収納物は、大事な物であっても差し支えない。
【００２９】
図３（ａ）に示すように、キャスター１５が載置面３３に載るようにして、鞄１０を縦にする。
図３（ａ）にて、第２スライダー１８をロック機構２１から外し、矢印（３）、（４）のように、第２ファスナー１７を開く方向へ移動する。
【００３０】
図３（ｂ）に示すように、第２ヒンジ部２６を中心にしてリッド１６を約９０℃回転する（矢印（５））。リッド１６は、第１ベルト３４で全開位置が規定される。
この状態で、蓋体１２（又は蓋体１２とケース本体１１）に収納物を出し入れする。
【００３１】
収納後、リッド１６を蓋体１２に被せ、第２スライダー１８を移動して第２ファスナー１７を閉じ、第２スライダー１８をロック機構２１に止め、施錠状態にする。
施錠できるため、収納物は、大事な物であっても差し支えない。
【００３２】
図４（ａ）に示すように、キャスター１５が載置面３３に載るようにして、鞄１０を縦にする。
図４（ｂ）に示すように、リッド１６に開閉自在にサブリッド２７が設けられている。このサブリッド２７は、第２ベルト３５で全開位置が規定される。
サブリッド２７の内側位置にて、リッド１６に収納部４０が付設されている。収納部４０は、ケース（以下、収納部４０をケース４０という。）である。
【００３３】
ケース４０は、床４１と、この床４１の上方に配置される天井４２と、床４１及び天井４２を繋ぐ奥壁４３と、床４１及び天井４２を繋ぐ左右の側壁４４とからなり、一面（奥壁４３から遠い方の面）が開放された容器である。
【００３４】
このようなケース４０は、リッド１６に接着、ビス止め、嵌め込み又はその他の手段で付設される。すなわち、リッド１６の開口端はケース４０の内面に連続している。なお、リッド１６が樹脂製であれば、射出成形により、リッド１６にケース４０を一体形成することができる。よって、リッド１６とケース４０の接続形態は任意である。
【００３５】
なお、ケース４０は、ボックス形状の他、１／４分割筒形状であってもよい。１／４分割筒形状のケース４０は、床４１と、円弧壁（天井４２と奥壁４３が連続した壁）と、左右の側壁４４とからなる。
【００３６】
図４（ａ）に示すように、サブリッド２７とリッド１６は第３ファスナーと第３ヒンジ部２９で連結されている。第３ファスナー２８に第３スライダー３１が備えられる。第３スライダー３１を矢印（６）、（７）のように引く。
そして、図４（ｂ）にて、サブリッド２７を矢印（８）のように、開ける。
【００３７】
図５に示すように、サブリッド２７を開けると、ケース４０が見える。ケース４０は、床４１、天井４２、左右の壁４４及び奥壁４３からなり、一面が開放されている。この開放面に相当する開口４５がリッド１６に設けられている。ケース４０は横長であって、折り畳み傘４６や５００ｃｍ３の飲料入りボトル４７が収納できる内容積を有する。
【００３８】
折り畳み傘４６や飲料入りボトル４７をケース４０に収納し、サブリッド２７を閉じ、第３スライダー３１を閉じ位置まで移動することで、リッド１６に対してサブリッド２７を閉じ状態にすることができる。
奥壁４３があるため、開口４５からケース本体１１や蓋体１２内へ物を出し入れすることができない。よって、ケース本体１１や蓋体１２内に貴重品等の大事な物を入れることができる。
【００３９】
一方、第３スライダー３１は施錠しないため、サブリッド２７を開けて物を出し入れする場合、この物は貴重品でない小物となる。
第３スライダー３１が施錠されていないため、解錠操作が不要となり、手軽に且つ容易にケース４０から小物（折り畳み傘４６や飲料入りボトル４７など）を出し入れすることができる。
【００４０】
すなわち、ロック機構２１を備える鞄１０において、折り畳み傘４６や飲料入りボトル４７などの小物を容易に出し入れすることができる構造の鞄１０が提供される。
【００４１】
図６（ａ）は、図４に示した収納部４０の別態様を説明する図であり、収納部４０はポケットである（以下、収納部４０をポケット４０という）。
ポケット４０は袋状である。リッド１６の内側には、このリッド１６を閉じた状態でポケット４０の上方に、ペン等の小物を収納できるポーチ５１が設けられている。リッド１６の上面とポケット４０の間のデッドスペースを有効に活用することができる。
【００４２】
図６（ｂ）は、図６（ａ）のｂ−ｂ線断面図である。図６（ａ）、図６（ｂ）に示すように、ポーチ５１には、ポーチ用ファスナ５１ａが設けられており、ポーチ用スライダー５１ｂにより開閉することができる。ポケット４０の下方において、蓋体１２の内側に複数のカード入れ５２が設けられている。ポケット４０は、断熱材で構成されている。サブリッド２７を開けることで容易にペットボトル等の小物を入れることができる。
【００４３】
図６（ｃ）は、図６（ａ）のｃ−ｃ線断面図である。蓋体１２の上壁から底にベルト６３が渡されている。このベルト６３の上部に小物を入れる上段物入れ部５３が設けられ、上段物入れ部５３の下方であってベルト６３の中部に小物を入れる中段物入れ部５４が設けられている。
【００４４】
上段物入れ部５３には上段ファスナー５５が設けられており、上段スライダー５６により開閉することができる。中段物入れ部５４には中段ファスナー５７が設けられており、中段スライダー５８により開閉することができる。なお、実施例では、上段物入れ部５３をベルト６３で支持したが、これに限定されず、蓋体１２の開口全体を覆う開閉式の中仕切りを設け、この中仕切りに上段物入れ部５３を設けても差し支えない。
【００４５】
図６（ｄ）は、図６（ａ）の断面図である。蓋体１２の下部には、下部物入れ６１が設けられている。下部物入れ６１には、中を仕切る仕切り６２が設けられている。サブリッド２７を閉じた状態で、リッド１６を開ける。すると、ポーチ５１のポーチ用ファスナー５１ａが上方を向くので、容易に開閉することができ、ペン等の小物の出し入れも容易に行うことができる。また、リッド１６を開けることで、上段物入れ部５３及び中段物入れ部５４にも容易に手が届き、物品の出し入れを容易に行うことができる。
【００４６】
また、蓋体１２の立ち壁の内側にカード入れ５２を設けたので、リッド１６を開けることで、カード入れ５２へのカードの出し入れも容易に行うことができる。さらには、下部物入れ６１は、上方に開口しているので、リッド１６を開けることで、上方からの物品の出し入れを容易に行うことができる。
【００４７】
図７に示すように、サブリッド２７を開けた状態であっても、ポケット４０は開口４５を塞ぎ、蓋体１２の内側を密閉した状態に維持する。ポケット４０は、断熱材４８で構成されている。このため、冷えた飲料入りボトルをポケット４０に収納することで、飲料を冷えた状態に保つことができる。反対に、暖かい飲料入りボトルをポケット４０に収納することで、飲料を暖かい状態に保つことができる。断熱材４８は、表面をアルミニウム製として防水性を有する材料としたので、ポケット４０に濡れた物を収納しても、水滴等が蓋体１２の内側に浸入することを防止できる。
【００４８】
尚、ケース４０に収納する小物は、折り畳み傘４６や飲料入りボトル４７の他、スーツケースベルト、絆創膏など救急医療小物、添乗員が掲げる小旗であってよく、種類は任意である。実施例では、断熱材４８をアルミニウム製としたが、これに限定されず、断熱することができれば、空気を含んだ気泡緩衝材や、他の一般的な材料で構成しても差し支えない。
【産業上の利用可能性】
【００４９】
本考案の鞄は、ビジネスや旅行に使用する鞄に好適である。
【符号の説明】
【００５０】
１０…鞄
１１…ケース本体
１１ａ…ケース本体の底
１２…蓋体
１２ａ…蓋体の底
１３…第１ファスナー
１４…第１スライダー
１５…キャスター
１６…リッド
１７…第２ファスナー
１８…第２スライダー
２１…ロック機構
２７…サブリッド
２８…第３ファスナー
３１…第３スライダー
４０…収納部（ケース、ポケット）
４６…収納部に収納される小物（折り畳み傘）
４７…収納部に収納される小物（飲料入りボトル）
４８…断熱材
５１…ポーチ
【図１】
0003205365.tif 000003
【図２】
0003205365.tif 000004
【図３】
0003205365.tif 000005
【図４】
0003205365.tif 000006
【図５】
0003205365.tif 000007
【図６】
0003205365.tif 000008
【図７】
0003205365.tif 000009